(57)【要約】      （修正有）【課題】流通段階において、悪戯などによって保護キャップが不用意に取り外されて開封されることを防止すると共に、内容器を外容器に装着する際には容易に開封できるようにした二重容器を創出することを課題とする。【解決手段】内容物が充填された内容器本体２１及び内容器本体２１の口部２１Ａを閉塞する保護キャップ２２を有する内容器２０と、内容器本体２１が収容される外容器本体１１と、内容器本体２１が収容された外容器本体１１の口部１１ａを閉塞する外装蓋とを有する二重容器であって、外容器本体１１と内容器本体２１との対向部にネジ送り機構Ｓが設けられており、外容器本体１１と内容器本体２１とが相対的に回転することにより、外容器本体１１内への内容器本体２１の着脱が可能とされる構成とする。【選択図】図３
2018122870.tif 000002
【特許請求の範囲】
【請求項１】
内容物が充填された内容器本体（２１）及び該内容器本体（２１）の口部（２１Ａ）を閉塞する保護キャップ（２２）を有する内容器（２０）と、前記内容器本体（２１）が収容される外容器本体（１１）と、前記内容器本体（２１）が収容された外容器本体（１１）の口部（１１ａ）を閉塞する外装蓋（１５）とを有する二重容器であって、
前記外容器本体（１１）と前記内容器本体（２１）との対向部にネジ送り機構（Ｓ）が設けられており、前記外容器本体（１１）と前記内容器本体（２１）とが相対的に回転することにより、前記外容器本体（１１）内への前記内容器本体（２１）の着脱が可能とされることを特徴とする二重容器。
【請求項２】
保護キャップ（２２）が内容器本体（２１）の口部（２１Ａ）に係合しており、ネジ送り機構（Ｓ）によって前記内容器本体（２１）が外容器本体（１１）の底部（１３）側の固定位置に移動する際に、前記外容器本体（１１）の口部（１１ａ）に前記保護キャップ（２２）が当接して相対的に移動させられることにより前記保護キャップ（２２）と前記内容器本体（２１）との係合が解除される請求項１記載の二重容器。
【請求項３】
外容器本体（１１）が、円筒部（１２）と該円筒部（１２）に連結された状態で相対的に回転可能に設けられた底部（１３）とを有して構成される請求項１又は２記載の二重容器。
【請求項４】
円筒部（１２）と内容器本体（２１）とが対向する壁面の一方に係止凸部（１２ａ）が形成され、他方に前記係止凸部（１２ａ）に係合可能な係止凹部（２１ｃ）が形成されている請求項３記載の二重容器。
【請求項５】
円筒部（１２）と底部（１３）の一方に環状挿入部（１２ｂ）及び案内凸部（１２ｃ）が形成され、他方に前記環状挿入部（１２ｂ）が挿入される間隙（１３ａ）及び前記案内凸部（１２ｃ）と係合する案内凹部（１３ｃ）が形成されている請求項３又は４記載の二重容器。
【発明の詳細な説明】
【技術分野】
【０００１】
本発明は、外容器内に交換可能な内容器が収容される二重容器に関する。
【背景技術】
【０００２】
クリーム等の内容物が充填された容器は、装飾性、デザイン等に優れていることが要望され、様々な加飾（蒸着、塗装、厚肉化など）が施されるが、使い棄て容器であるため、環境への負荷低減を考慮することが必要である。そこで容器を二重構造とし、外容器から内容物を使い終った内容器を外し、新たな内容器に交換することで、外容器の再利用を図った二重容器が知られている。
【０００３】
例えば、特許文献１に示す二重容器では、内容物を収容する内容器２が、その口部３０を保護キャップ１１によって閉塞されたレフィール容器として流通される。保護キャップ１１は、装着筒部１４の雌ねじ部１５を内容器２の雄ねじ部２３に螺合させることにより内容器２の口部２０に装着される構成であり、内容器２に保護キャップ１１が装着された状態において、パッキン１６が、保護キャップ１１の頂壁部と、口部２０の上端との間に挟み込まれてシールされることにより、内容器２が密封されている。このような構成では、内容器２を外容器３の内側に挿入する前に、或いは挿入後に、使用者が螺合を解除して保護キャップ１１を内容器２から取り外して使用される。
【先行技術文献】
【特許文献】
【０００４】
【特許文献１】特開２０１３−７５６７２号公報
【発明の概要】
【発明が解決しようとする課題】
【０００５】
しかし、上記特許文献１に示す二重容器では、螺合を解除するだけで保護キャップが容易に取り外すことが可能な構成となっているため、流通段階中に悪戯などによって保護キャップが外されて内容器が開封される虞があった。
【０００６】
本発明は、上記した従来の問題が考慮されたものであり、流通段階において、悪戯などによって保護キャップが不用意に取り外されて開封することを防止すると共に、内容器を外容器に装着する際には容易に開封できるようにした二重容器を創出することを課題とする。
【課題を解決するための手段】
【０００７】
上記課題を解決するための手段のうち、本発明の主たる手段は、
内容物が充填された内容器本体及び内容器本体の口部を閉塞する保護キャップを有する内容器と、内容器本体が収容される外容器本体と、内容器本体が収容された外容器本体の口部を閉塞する外装蓋とを有する二重容器であって、
外容器本体と内容器本体との対向部にネジ送り機構が設けられており、外容器本体と内容器本体とが相対的に回転することにより、外容器本体内への内容器本体の着脱が可能とされることを特徴とする、と云うものである。
【０００８】
本発明の主たる手段では、外容器本体側を回転させることにより、内容器本体を外容器本体内に確実に装着することを達成し得ると共に、外容器本体内から内容器本体を確実に取り出すことを達成し得る。
【０００９】
また本発明の他の手段は、上記主たる手段に、保護キャップが内容器本体の口部に係合しており、ネジ送り機構によって内容器本体が外容器本体の底部側の固定位置に移動する際に、外容器本体の口部に保護キャップが当接して相対的に移動させられることにより保護キャップと内容器本体との係合が解除される、との手段を加えたものである。
【００１０】
上記手段では、外容器本体側を回転させて内容器本体を外容器本体内に装着する操作に連動して、保護キャップを内容器本体の口部から取り外すこと、すなわち内容器を自動的に開封することを達成し得る。
【００１１】
また本発明の他の手段は、上記いずれかの手段に、外容器本体が、円筒部と円筒部に連結された状態で相対的に回転可能に設けられた底部とを有して構成される、との手段を加えたものである。
【００１２】
上記手段では、内容器本体の着脱を行うためのネジ送り操作を、より簡単な構成で達成し得る。
【００１３】
また本発明の他の手段は、上記手段に、円筒部と内容器本体とが対向する壁面の一方に係止凸部が形成され、他方に前記係止凸部に係合可能な係止凹部が形成されている、との手段を加えたものである。
【００１４】
上記手段では、周方向においては円筒部と底部とが一緒に回転することを防止し、鉛直方向においては内容器本体が円筒部に対して相対的に移動すること確保することにより、内容器本体のネジ送りを確実に達成し得る。
【００１５】
また本発明の他の手段は、上記手段に、円筒部と底部の一方に環状挿入部及び案内凸部が形成され、他方に環状挿入部が挿入される間隙及び案内凸部と係合する案内凹部が形成されている、との手段を加えたものである。
【００１６】
上記手段では、間隙からの環状挿入部の抜けを防止し、円筒部と底部との間の相対的な回転を確保し得る。
【発明の効果】
【００１７】
本発明では、流通段階において、悪戯などによって保護キャップが不用意に取り外されて開封されることを防止することができる。また内容器を外容器に装着する操作に連動して保護キャップが外れるため、内容器を容易に開封することができる。
【図面の簡単な説明】
【００１８】
【図１】本発明の実施例を示す二重容器の半断面図である。
【図２】内容器本体と保護キャップとを有して構成される内容器（レフィール容器）を示す半断面図である。
【図３】内容器を外容器本体に装着する初期状態を示す断面図である。
【図４】内容器が外容器本体内に装着された終了状態を示す断面図である。
【発明を実施するための形態】
【００１９】
以下、本発明の実施の形態について図面を参照しつつ説明する。
図１は本発明の実施例を示す二重容器の半断面図、図２は内容器本体と保護キャップとを有して構成される内容器（レフィール容器）を示す半断面図、図３は内容器を外容器本体に装着する初期状態を示す断面図、図４は内容器が外容器本体内に装着された終了状態を示す断面図である。尚、各図においては内容物を省略している。
図１に示すように、本発明の二重容器１は、クリーム等の内容物が充填された内容器（レフィール容器）２０と、その内容器２０を収容する外容器１０と、を備えて構成されている。
【００２０】
外容器１０は、外容器本体１１及びこの外容器本体１１の口部１１ａを閉塞する外装蓋１５を有して構成され、また外容器本体１１は上端及び下端が開放された円筒部１２と、この円筒部１２の下端に回動可能に連結された底部１３とを有して構成されている。外容器本体１１を構成する円筒部１２、底部１３及び外装蓋１５を含む外容器１０の全体は、例えばポリオレフィン系、ポリエステル系、ポリスチレン系等の合成樹脂からなり、例えば射出成形等によって成形される。
【００２１】
外容器本体１１を構成する円筒部１２の上部側の内壁面には縦溝から成る係止凹部１２ａが形成されている。図３及び図４に示すように、本実施例では係止凹部１２ａが軸対称を成す２箇所の位置に形成されている。また円筒部１２の下端には肉薄状の環状挿入部１２ｂが連設されており、この環状挿入部１２ｂの外周面にはアンダーカット状の案内凸部１２ｃが一体に形成されている。
【００２２】
底部１３は底壁部１３Ａと二重壁を構成する内壁部１３Ｂ及び外壁部１３Ｃとを有して構成され、内壁部１３Ｂと外壁部１３Ｃとの間には円環状の間隙１３ａが設けられている。内壁部１３Ｂの内面には後述するネジ送り機構Ｓの一部を構成する雄ネジ部１３ｂが刻設され、また間隙１３ａに面する外壁部１３Ｃの内面には案内凹部１３ｃが形成されている。
【００２３】
そして、円筒部１２と底部１３とは、円筒部１２側の環状挿入部１２ｂが底部１３側の間隙１３ａに挿入され、且つ円筒部１２側の案内凸部１２ｃが底部１３側の案内凹部１３ｃに係合する状態で組み立てられている。これにより、環状挿入部１２ｂは間隙１３ａに案内されて周方向に回転することが可能となる。また案内凸部１２ｃと案内凹部１３ｃとの係合は、間隙１３ａ内からの環状挿入部１２ｂの抜けを防止する。すなわち、円筒部１２と底部１３との相対的な回転が可能となっている。
【００２４】
図１に示すように、外容器１０を構成する外装蓋１５は、頂壁１５Ａと周壁部１５Ｂとを有して成る有頂円筒状の部材であり、周壁部１５Ｂの内面には雌ねじ１５ａが刻設されている。また頂壁１５Ａの下面には円盤状のパッキン１６が嵌合されており、外装蓋１５の頂壁１５Ａの下面と後述の内容器本体２１の口部２１Ａの上端面との間にパッキン１６の外周端部が挟み込まれてシールすることにより、内容器本体２１内を密封することが可能となっている。
【００２５】
図２に示すように、内容器２０は、例えばポリオレフィン系、ポリエステル系、ポリスチレン系等の合成樹脂からなり、例えば射出成形等によって成形された内容器本体２１及び保護キャップ２２を有して構成される。
内容器２０を構成する内容器本体２１は有底円筒状の部材であり、この内容器本体２１の口部２１Ａの外壁面には雄ねじ２１ａが刻設されており、この雄ねじ２１ａには上述の外装蓋１５の周壁部１５Ｂの内壁に形成された雌ねじ１５ａが螺合される（図１参照）。
【００２６】
内容器本体２１の外壁面で且つ雄ねじ２１ａの下部には円環状から成るフランジ２１ｂが周突設され、このフランジ２１ｂの下部には鉛直方向に延びる係止凸部２１ｃが突設されている。図３及び図４に示すように、本実施例では係止凸部２１ｃが軸対称を成す２箇所の位置に形成されており、これら係止凸部２１ｃは上述の外容器本体１１を構成する円筒部１２の内壁面に形成された係止凹部１２ａに係合する。
【００２７】
内容器本体２１の下部側には、一回り小さな直径から構成される鍋底部２１Ｃが段差部２１Ｂを介して連設されている。鍋底部２１Ｃの側壁外面には後述するネジ送り機構Ｓの一部を構成する雌ネジ部２１ｄが刻設されており、この雌ネジ部２１ｄは外容器本体１１を構成する底部１３の内壁部１３Ｂの内面に形成された雄ネジ部１３ｂに螺合される（図１、図４参照）。
【００２８】
内容器２０を構成する保護キャップ２２は頂壁２２Ａと周壁部２２Ｂとを有して成る有頂円筒状の部材であり、周壁部２２Ｂの下端は外径方向にわずかに膨出するスカート部２２Ｃとなっており、このスカート部２２Ｃの内面にはアンダーカット状の係止部２２ａが周設されている。この係止部２２ａが内容器本体２１側のフランジ２１ｂに係合することにより保護キャップ２２が内容器本体２１の口部２１Ａを閉塞する。
尚、頂壁２２Ａには、下面から垂下して内容器本体２１の口部２１Ａの内面に当接するインナーリング２２ｂが設けられており、このインナーリング２２ｂのシール機能により内容器２０が外容器本体１１内に装着されるまでの間、すなわち保護キャップ２２による閉塞が解除されるまでの間、内容器本体２１内を密封する。
【００２９】
図２に示すように、内容器２０は、内容物が充填された内容器本体２１の口部２１Ａを保護キャップ２２で閉塞した状態で流通段階に置かれる。保護キャップ２２を内容器本体２１の口部２１Ａに装着すると、保護キャップ２２のスカート部２２Ｃが内容器本体２１側の雄ねじ２１ａ及びフランジ２１ｂを径方向外側から覆うと共に、保護キャップ２２の係止部２２ａが内容器本体２１のフランジ２１ｂの下端を強固に係止する。これにより、特に流通段階においては、悪戯などによって保護キャップ２２が内容器本体２１から取り外され、内容器２０が不用意に開封されてしまうこと防止することができる。
【００３０】
次に、上記した二重容器を使用する際の手順について図３及び図４を参照しつつ説明する。
（内容器の装着作業）
二重容器１は内容物が充填された内容器本体２１を外容器１０の内部に装着した状態（図１参照）で流通されるが、内容器本体２１を外容器１０の内部に装着には、まず、図３に示すように外装蓋１５を外した状態の外容器本体１１内に内容器２０を挿入することにより行う。この際、外容器本体１１と内容器本体２１とは周方向の相対的な位置合わせを行い、外容器本体１１側の円筒部１２に形成された係止凹部１２ａ内に内容器本体２１に設けられた係止凸部２１ｃを挿入させる。これにより、周方向においては、外容器本体１１側の円筒部１２と内容器本体２１とが一体化されるため、円筒部１２を保持した状態で底部１３を回した場合には、底部１３のみが回転し、内容器本体２１が底部１３と一緒に回転することを防止する。同時に、内容器本体２１が円筒部１２に対して鉛直方向に沿って相対的に移動することを確保する。よって、内容器本体２１のネジ送りを確実に行うことが可能となっている。
【００３１】
次に、使用者は一方の手で外容器本体１１の底部１３を把持すると共に他方の手で外容器本体１１の円筒部１２を保持した状態において、円筒部１２に対し底部１３を容器軸Ｏ回りに正転（例えば、時計回り方向の回転）させる（ネジ送り操作）。すると、ネジ送り機構Ｓを構成する外容器本体１１側の雄ネジ部１３ｂと内容器本体２１側の雌ネジ部２１ｄとが噛み合う。さらに回転させると、図４に示すように、内容器本体２１を下方の底部側に向かってネジ送りすることができる。そして、内容器本体２１の鍋底部２１Ｃの底壁が外容器本体１１の底部１３の底壁に当接する又は近接する固定位置まで内容器本体２１を鉛直方向の下方に移動させる。
【００３２】
このネジ送り操作の途中においては、保護キャップ２２のスカート部２２Ｃの下端面が、外容器本体１１を構成する円筒部１２の上端である口部１１ａの上端面に当接する。このため、この状態からさらに回転させると、内容器本体２１の下方への移動に対して保護キャップ２２が相対的に上方に持ち上げられて移動させられることから、保護キャップ２２側の係止部２２ａと内容器本体２１側のフランジ２１ｂとの係合が連動的に解除され、保護キャップ２２が内容器本体２１の口部２１Ａから外れる。
最後に、内容器本体２１の口部２１Ａに、外れた保護キャップ２２の代わりに外装蓋１５を螺合させることにより、図１に示す外容器１０の内部に内容器本体２１が装着された二重容器１とすることができる。
【００３３】
（内容器の交換作業）
内容物を使い切った場合には、外容器１０内の使用済み内容器本体２１を内容物が充填された新たな内容器本体２１に交換することにより、外容器１０を再利用することが可能となる。この交換作業では、まず、使用済み内容器本体２１を外容器１０から取り出すが、この作業は上記「内容器の装着」の順序を逆から行うことで可能となる。
【００３４】
すなわち、最初に外装蓋１５を螺脱させて使用済み内容器本体２１の口部２１Ａを出現させる。次に、円筒部１２に対し底部１３を容器軸Ｏ回りに逆転（例えば、反時計回り方向の回転）させるネジ送り操作を行い、使用済み内容器本体２１を上方に移動させ、ネジ送り機構Ｓを構成する外容器本体１１側の雄ネジ部１３ｂと内容器本体２１側の雌ネジ部２１ｄとの噛み合いを解除させる。これにより、使用済み内容器本体２１を外容器本体１１内から取り出すことができる。
【００３５】
次に、内容物が充填された新たな内容器本体２１を外容器１０内に装着するが、この作業は上記「内容器の装着」と同様であるので詳しい説明は省略するが、外容器本体１１内に装着された状態にある新たな内容器本体２１の口部２１Ａに外装蓋１５を螺合させることで、内容器２０の交換作業が完了する。このように本発明では、内容器２０を外容器２０内に装着する際に、円筒部１２と底部１３とを相対的に回転させるだけで保護キャップ２２を連動して取り外し、外容器１０を開封することができるため、交換作業を簡単に行うことができる。
【００３６】
以上、実施例に沿って本発明の構成とその作用効果について説明したが、本発明の実施の形態は上記実施例に限定されるものではない。
【００３７】
例えば、上記実施例では外装蓋１５が内容器本体２１の口部２１Ａに対して螺合により閉塞する構成を示して説明したが、保護キャップ２２同様に外装蓋１５が口部２１Ａに係合することにより閉塞される構成であっても良い。
【００３８】
また上記実施例では外容器本体１１を構成する円筒部１２の内壁面に係止凹部１２ａが形成され、これに対応する内容器２０の外壁面に係止凸部２１ｃが形成された場合を示して説明したが、円筒部１２側に係止凸部が形成され、内容器２０に係止凹部が形成される構成であっても良い。
【００３９】
さらに上記実施例では係止凹部１２ａ及びこれに対応する係止凸部２１ｃが軸対称を成す２箇所の位置に形成された場合を示して説明したが、少なくとも１箇所の位置に形成されていれば良く、３箇所以上の位置に形成されていても良い。
【００４０】
また上記実施例では、円筒部１２側に環状挿入部１２ｂ及び案内凸部１２ｃを有し、底部１３側にこれらが挿入される間隙１３ａ及び案内凹部１３ｃを有する構成を示して説明したが、底部１３側に環状挿入部及び案内凸部を形成し、円筒部１２側にこれらが挿入される間隙及び案内凹部が形成される構成とすることも可能である。
【産業上の利用可能性】
【００４１】
本発明の二重容器は、必要に応じて内容器の交換を要する容器の分野における用途展開をさらに広い領域で図ることができる。
【符号の説明】
【００４２】
１    ：  二重容器
１０  ：  外容器
１１  ：  外容器本体
１１ａ：  外容器本体の口部
１２  ：  円筒部
１２ａ：  係止凹部
１２ｂ：  環状挿入部
１２ｃ：  案内凸部
１３  ：  底部
１３Ａ：  底壁部
１３Ｂ：  内壁部
１３Ｃ：  外壁部
１３ａ：  間隙
１３ｂ：  雄ネジ部
１３ｃ：  案内凹部
１５  ：  外装蓋
１５Ａ：  頂壁
１５Ｂ：  周壁部
１５ａ：  雌ねじ
１６  ：  パッキン
２０  ：  内容器（レフィール容器）
２１  ：  内容器本体
２１Ａ：  内容器本体の口部
２１Ｂ：  段差部
２１Ｃ：  鍋底部
２１ａ：  雄ねじ
２１ｂ：  フランジ
２１ｃ：  係止凸部
２１ｄ：  雌ネジ部
２２  ：  保護キャップ
２２Ａ：  頂壁
２２Ｂ：  周壁部
２２Ｃ：  スカート部
２２ａ：  係止部
２２ｂ：  インナーリング
Ｓ    ：  ネジ送り機構
【図１】
2018122870.tif 000003
【図２】
2018122870.tif 000004
【図３】
2018122870.tif 000005
【図４】
2018122870.tif 000006